(57)【要約】【課題】録画保存された番組（データ）が多数ある状態で、またユーザが視聴を望む番組が明確でない場合、目的の番組を効率良く検索できる録画データ再生装置および再生方法を提供すること。【解決手段】録画された画像データを画像データの分類別に一覧表示する一覧表示手段７０と、一覧表示された画像データを検索し所望の画像データを選択する検索手段２０と、選択された画像データを記録媒体５０から再生する再生手段３０とを備える。さらに、録画された画像データを、画像データに関する属性情報に基づいて分類する分類手段６０を備える。また前記一覧表示手段７０は、画像データを複数の分類に基づき階層的に一覧表示する。【選択図】図１
2006196939.tif 000002
【特許請求の範囲】
【請求項１】
記録媒体に録画された画像データを検索して所望の画像データを再生する録画データ再生装置において、
録画された画像データを該画像データの分類別に一覧表示する一覧表示手段と、
該一覧表示された画像データを検索し所望の画像データを選択する検索手段と、
該選択された画像データを該記録媒体から再生する再生手段と、
を備えることを特徴とする録画データ再生装置。
【請求項２】
請求項１記載の録画データ再生装置において、
前記録画された画像データを、該画像データに関する属性情報に基づいて分類する分類手段を備え、
前記一覧表示手段は、該画像データを該属性情報により分類し一覧表示することを特徴とする録画データ再生装置。
【請求項３】
請求項１または２に記載の録画データ再生装置において、
前記一覧表示手段は、前記録画された画像データを複数の分類に基づき階層的に一覧表示することを特徴とする録画データ再生装置。
【請求項４】
請求項１ないし３のいずれか１項に記載の録画データ再生装置において、
前記一覧表示手段により表示する画像データの分類を切り替える表示切替手段を備えることを特徴とする録画データ再生装置。
【請求項５】
請求項２記載の録画データ再生装置において、
前記画像データは受信したテレビ放送番組であって、前記属性情報は、該放送番組の電子番組ガイド（ＥＰＧ）から取得することを特徴とする録画データ再生装置。
【請求項６】
請求項２または５に記載の録画データ再生装置において、
前記属性情報は、録画を行った曜日、録画データを既に視聴済みであるか否かを示すフラグ、録画時間の長さ、録画データのジャンル、および放送番組のチャンネルに関する情報の少なくとも１つを含むことを特徴とする録画データ再生装置。
【請求項７】
記録媒体に録画された画像データを、該画像データに関する属性情報に基づいて分類し、
該録画された画像データを該画像データの分類別に一覧表示し、
該一覧表示された画像データを検索して所望の画像データを選択し、
該選択された画像データを上記記録媒体から再生することを特徴とする録画データ再生方法。
【請求項８】
請求項７記載の録画データ再生方法において、
前記一覧表示する際、前記録画された画像データを複数の分類に基づき階層的に一覧表示することを特徴とする録画データ再生方法。
【発明の詳細な説明】
【技術分野】
【０００１】
本発明は、テレビ放送番組等の録画データから所望のデータを検索して再生する再生装置および再生方法に関するものである。
【背景技術】
【０００２】
受信したテレビ放送番組等を録画再生する各種のレコーダが発表されている。特にＨＤＤレコーダは、ハードディスク記録媒体の大容量化に伴い、多くの番組を長時間にわたり録画保存することができる。そして、録画保存した番組の中から再生視聴したい番組を選択するために、録画番組リストや各番組のサムネイルを画面表示し、これから所望の番組を検索できるようにしている。その際検索情報としては、録画番組に付随する電子番組ガイド（ＥＰＧ）から得た情報、すなわち録画日時、チャンネル、タイトルなどをもとに検索することで、見たい番組をすぐに探せるように工夫がなされている。あるいは、ユーザが作成したキーワードに基づいて検索する方式も提案されている（例えば、特許文献１参照）。
【０００３】
【特許文献１】特開平１０−１６４４７１号公報
【発明の開示】
【発明が解決しようとする課題】
【０００４】
上記した従来の検索方法は、録画番組リストやサムネイルを録画したすべての番組について、例えば録画日時順に表示するものである。従って、録画した番組数が増大するにつれ検索時間が増加し、ユーザによって煩わしい作業となっている。
【０００５】
さらに、ユーザの視聴したい番組の検索情報が明確でない場合も存在する。大量の番組が録画され、ユーザがそれらの大部分をまだ視聴していない場合、ユーザは視聴したい番組の情報（録画日時、チャンネル、タイトル等）を特定できないことが多い。あるいは、視聴したい番組自身が未確定で、検索しながら所望の番組をその場で決定するような場合もあり得る。このような場合、従来の検索方法や特許文献１に記載のキーワードに基づく検索法は有効ではなくなり、効率良く視聴したい番組を探すことができなくなる。
【０００６】
本発明の目的は、録画保存された番組（データ）が多数ある状態で、またユーザが視聴を望む番組が明確でない場合、目的の番組を効率良く検索できる録画データ再生装置および再生方法を提供することである。
【課題を解決するための手段】
【０００７】
本発明による録画データ再生装置は、録画された画像データを画像データの分類別に一覧表示する一覧表示手段と、一覧表示された画像データを検索し所望の画像データを選択する検索手段と、選択された画像データを記録媒体から再生する再生手段とを備える構成とする。
【０００８】
さらには、録画された画像データを、画像データに関する属性情報に基づいて分類する分類手段を備える。また前記一覧表示手段は、画像データを複数の分類に基づき階層的に一覧表示する。
【０００９】
本発明による録画データ再生方法は、記録媒体に録画された画像データを画像データに関する属性情報に基づいて分類し、録画された画像データを画像データの分類別に一覧表示し、一覧表示された画像データを検索して所望の画像データを選択し、選択された画像データを記録媒体から再生するものである。
【発明の効果】
【００１０】
本発明によれば、録画済データから所望のデータを検索して視聴する際、ユーザの操作性および利便性が向上する。
【発明を実施するための最良の形態】
【００１１】
以下、本発明の実施形態について、図面を用いて説明する。
【００１２】
図１は、本発明による録画データ再生装置の一実施例を示すブロック図である。また図２、図３は、本実施例において表示される検索画面の一例を示す図である。
【００１３】
図１において、録画データ再生装置１０は記録手段（記録媒体）５０を搭載し、ユーザの指示により、あるいは自動的に映像・音声データ（以下、画像データ）を録画保存している。記録手段５０は、ＨＤＤ、ＤＶＤなどの大容量の記録媒体を搭載あるいは装着するものである。録画する画像データは、テレビ放送番組だけでなく、カメラや他の画像機器から入力した画像データも可能である。
【００１４】
操作部２０は、記録手段（記録媒体）５０に録画保存された画像データ（以下、録画データ）から再生する録画データの選択および再生の指示を受け付ける。録画データ再生手段３０は、記録手段５０から録画データを再生し、ファイル管理部４０は、録画データをファイル形式で管理している。分類手段６０は、録画データについて、ユーザの指示により、あるいは自動的に分類する。ここに分類とは、録画データの管理検索のためユーザが任意に定めた項目、又は録画データに付随する属性情報に基づき分類することを意味する。一覧表示手段７０は、ユーザの指示により、所望の分類条件に従って抽出した録画データを一覧表示処理し、出力画面生成手段８０は図示しないモニタ（ディスプレイ）等に表示する。ユーザは、モニタ等に表示された画面（検索画面）の中から操作部２０により、所望の録画データ（番組）を検索し選択する。録画データ再生手段３０は、選択された画像データを再生し、出力画面生成手段８０は、選択された画像データから映像・音声信号を作成して、図示しないモニタ、スピーカなどに出力する。
【００１５】
再生時の検索手順を詳細に説明する。ユーザがリモコン等を操作し、操作部２０が録画データ一覧表示の要求を受信すると、一覧表示手段７０は録画データ一覧表示処理７００のプログラムを起動する。録画データ一覧表示処理７００は、分類条件がユーザによって指定されていなければ、ファイル管理部４０から直接録画データの一覧を取得し、全ての録画データについての一覧画面を生成する。
【００１６】
ユーザにより分類条件が指定されると、分類手段６０は録画データ分類処理６００のプログラムを起動する。録画データ分類処理６００は、ファイル管理部４０より記録手段５０に保存された録画データの一覧を読み出す。そして、指定された分類条件に従い、分類に必要な情報をファイル管理部４０から取得し、個々の録画データの分類グループを算出して分類グループ毎に録画データの一覧を作成、その結果を録画データ一覧表示処理７００に返す。このようにして、一覧表示手段７０は、ユーザが指定した分類条件に従って抽出した録画データの一覧を取得し、分類毎の一覧表示画面を作成する。
【００１７】
図２は、分類条件として録画曜日を指定し、日曜日を選択した場合の一覧表示画面の一例を示す図である。曜日をタグ表示とし、これを選択切り替えることで曜日毎の検索が容易となる。このように、録画した番組のうち、ユーザの必要とする分類の番組のみを表示するので、目的の番組を効率良く検索することができる。またユーザが視聴を望む番組が明確でない場合でも、検索しながら所望の番組を決定することが容易となる。
【００１８】
また図３は、録画曜日の分類条件（第１の条件）に従って表示されている一覧表示画面において、さらに視聴済か否かの分類条件（第２の条件）を用いて、階層的に分類表示した場合の表示画面の一例を示す図である。複数の分類条件に基づき階層的に表示することで、検索の絞込みが一層容易になり、検索時間が短縮できる。
【００１９】
一覧表示画面の切り替えは、操作部２０の表示切替スイッチ、あるいは図示しないリモコンや録画データ再生装置に備えられた表示切替ボタンを押下することにより、操作部２０に表示切替要求を指示する。切替要求を受けると、一覧表示手段７０は、直前に表示した検索画面に戻して表示する。あるいは、階層的な表示においては、切替選択された分類に基づき新たな検索画面を表示させるなど、一覧表示画面を簡単に切り替えることができる。これにより、検索における操作性および利便性が向上する。
【００２０】
図４は、本実施例の録画データ再生装置１０のハードウェア構成を示す図である。
【００２１】
ＣＰＵ１０１は、指定された分類条件に従い録画データを分類する録画データ分類処理６００や、録画データ一覧表示画面の作成を行う録画データ一覧表示処理７００などの各種プログラムを実行する。ＲＯＭ１０２は、録画データ再生装置１０の起動処理や、装置１０を初期状態に戻すためのデータ復旧処理等の各種プログラムを格納している。ＲＡＭ１０３は、上記各プログラムを実行するために、一時的にデータを格納する。記録手段（記録媒体）１０４は、録画データ（番組）本体、および上記各プログラムを格納する。
【００２２】
入力手段１０５は、録画データを一覧表示させるユーザの操作や、録画データ一覧表示画面中の各種操作の入力を受け付ける。例えば、赤外線リモコンの受光部や、装置１０に取り付けられているボタン等である。画像出力手段１０６は、録画データ一覧表示画面を外部モニタに出力するために、コネクタの種類毎に適応する電気信号に変換して出力する。例えば、コンポーネント端子、コンポジット端子、Ｓ端子等がある。もちろん、モニタは装置１０に内蔵する構成でも良い。
【００２３】
図５は、上記した録画データ一覧表示処理７００について、その一例を示すフローチャートである。
【００２４】
録画データ一覧表示の要求を受信すると、ステップＳ７０１では、ファイル管理部４０に問い合わせて録画データの一覧を取得する。このとき取得する録画データの一覧は、録画データの格納されているパスを含めたファイル名の一覧であっても、録画データを一意に識別できる識別子の一覧であってもよい。ステップＳ７０２では、取得した録画データの一覧に対し、現在指定されている分類条件をパラメータとして録画データ分類処理６００を実行し、分類条件ごとに録画データを抽出する。ステップＳ７０３では、抽出した録画データを録画日時の順に並び替えて、分類条件毎に録画データの一覧表示できる画面（例えば図２、図３のような画面）を作成し、画像出力手段１０６へ渡す。この手順により、録画データの一覧を分類表示した画面を出力できる。
【００２５】
図６は、上記した録画データ分類処理６００について、その一例を示すフローチャートである。
【００２６】
ステップＳ６０１では、作業エリアの初期化や、録画データ分類処理の結果を格納するエリアの確保等の準備処理を行う。ステップＳ６０２では、ファイル管理部４０に問い合わせて録画データを１つ取得する。ステップＳ６０３では、録画データの取得に成功したか否かを判定する。録画データを正常に取得できたらステップＳ６０４へ進み、録画データの属性情報である録画データ属性情報５００を取得する。録画データ属性情報５００に内容については後述する。
【００２７】
ステップＳ６０５では、メニュー操作によりユーザが指定した分類条件に従い、ステップＳ６０４で取得した録画データの属性データを用いて、録画データがどの分類に属するのかを判定する分類判定処理８００を実行する。分類判定処理８００については後述する。
【００２８】
ステップＳ６０６では、分類判定の結果、現在の分類リストテーブルに存在する分類であれば、判定対象となっている録画データを該当する分類のリストテーブルに追加する。もし、現在の分類リストテーブルに存在しない分類であれば、新しい分類のリストテーブルを作成し、作成したリストテーブルに判定対象となっている録画データを追加する。追加が終わった後ステップＳ６０２へ戻る。
【００２９】
上記ステップＳ６０３で、録画データが取得できなかった場合には、録画データ分類処理６００を終了させる。以上の手続きにより、指定された分類条件に従い、録画データを分類抽出した結果を出力する。
【００３０】
図７は、上記した録画データ属性情報５００の内容の一例を示す図である。これには、録画データを一意に識別する識別子である「ファイル識別子」５０１、録画データのタイトル名の文字列長を表す「タイトル名の長さ」５０２、録画データの「タイトル名」５０３、「録画開始日時」５０４、「録画時間（録画データの再生時間）」５０５、録画した番組を放映していた放送局（チャンネル）を一意に識別する「放送局識別子」５０６、録画された番組の属する「ジャンルコード」５０７、既にユーザが視聴済か否かを表す「視聴済みフラグ」５０８、の８個の属性データが含まれる。
【００３１】
ここで上記属性情報は、電子番組ガイド（ＥＰＧ）に対応した装置である場合には、録画の際、録画データにＥＰＧデータを付加して保存することにより、ジャンル別、番組名別といったＥＰＧデータ内に含まれる情報を利用した分類表示が可能であり、より細かく分類表示を行うことができる。
【００３２】
また、ＥＰＧに対応していない装置である場合には、録画の際に、録画データに録画開始時刻、録画時間を自動的に付加して保存することにより、録画した曜日別や、録画時間の長さ別といったＥＰＧデータを用いずに取得できる情報を利用して分類表示が可能である。
【００３３】
図８は、上記分類判定処理８００について、その一例を示すフローチャートである。
【００３４】
分類判定処理８００は、ユーザが指定した分類条件によって判定処理を切り替えて実行する（Ｓ８０１）。例えば、ユーザが指定した分類条件が「曜日」であった場合、分類条件「曜日」を引数として、録画データ属性情報５００の中から属性データ「録画開始日時」５０４を取得し（Ｓ８０２）、録画開始時点での曜日を計算によって求め、その曜日を所属するグループとして返す（Ｓ８０３）。また、「ジャンル」、「視聴済フラグ」、「録画時間」、「放送局」といった「曜日」以外の分類条件が指定された場合でも、録画データ属性情報５００の中から対応する属性データを取得し、その結果より所属するグループを判定し、戻り値として返す（Ｓ８０４〜Ｓ８１１）。以上の手続きにより、指定された分類条件毎に、属するグループを判定する処理を実行する。
【００３５】
以上のように本実施例では、個々の録画データのもつ属性情報である、録画開始日時、番組の属するジャンル、番組を放映していた放送局、録画時間、ユーザが既に視聴したかを表す視聴済みフラグを用いて、同じ属性情報、もしくは同じ属性グループになっている録画データだけを一覧表示する。よって、全てを一覧表示させる場合よりも表示される録画データの数が少なくなる。これにより、ユーザにとって不必要な録画データを表示させずに録画データを検索できるので、視聴したい録画データを選択するのが容易になる。
【００３６】
また、別の属性情報、もしくは属性グループの録画データの一覧を表示するのに、切替ボタンを押すだけで切り替わるといった簡単な操作で切り替わるようにした。よって、ユーザが視聴したい録画データが見つからず他の録画データに切り替えたい場合や、ユーザが視聴したい番組を明確に決めていない状態で検索する場合にも、操作が容易になる。これらにより、ユーザの操作性および利便性が向上する。
【図面の簡単な説明】
【００３７】
【図１】本発明による録画データ再生装置の一実施例を示すブロック図。
【図２】本実施例における録画データの一覧表示画面の一例を示す図。
【図３】本実施例における録画データの一覧表示画面の他の例を示す図。
【図４】本実施例の録画データ再生装置のハードウェア構成を示す図。
【図５】録画データ一覧表示処理７００の一例を示すフローチャート。
【図６】録画データ分類処理６００の一例を示すフローチャート。
【図７】録画データ属性情報５００の内容の一例を示す図。
【図８】分類判定処理８００の一例を示すフローチャート。
【符号の説明】
【００３８】
１０…録画データ再生装置、１０１…ＣＰＵ、１０２…ＲＯＭ、１０３…ＲＡＭ、１０４…記録手段（記録媒体）、１０５…入力手段、１０６…画像出力手段、２０…操作部、３０…録画データ再生手段、４０…ファイル管理部、５０…記録手段（記録媒体）、６０…録画データ分類手段、７０…録画データ一覧表示手段、８０…出力画面生成手段、５００…録画データ属性情報、６００…録画データ分類処理、７００…録画データ一覧表示処理、８００…分類判定処理。
【図１】
2006196939.tif 000003
【図２】
2006196939.tif 000004
【図３】
2006196939.tif 000005
【図４】
2006196939.tif 000006
【図５】
2006196939.tif 000007
【図６】
2006196939.tif 000008
【図７】
2006196939.tif 000009
【図８】
2006196939.tif 000010